(57)【特許請求の範囲】
【請求項１】
刃部と指掛輪を具えた一対の下刃板と上刃板からなる複数の鋏体を共通軸を以って一体に結合した理美容鋏において、上記共通軸はその下端部を刃板の軸孔より一段と広径に形成し、その端部側の軸外周を下刃板の円孔に適合する円形部に形成し、該円形部の上側に上刃板の角孔に適合する角形部を設けて下段部を形成し、上記下段部と上側部に形成したねじ部間の中央部は、上記円形部より小径にしてカラーボルトが適合するように形成してあり、上記カラーボルトは、上記下段部の外形と同一になるようにその下端部を刃板の軸孔より一段と広径に形成し、その端部側の軸外周を下刃板の円孔に適合する円形部に形成し、上刃板の角孔に適合する角形部を該円形部に隣接して形成してあり、上記下段部に下段鋏体を取りつけ、パッキンを介してカラーボルトを嵌装し、該カラーボルトに上段鋏体を取りつけ、板バネを介してロックナットを装着してなる理美容鋏。
【請求項２】
共通軸の円形中央部を延成してカラーボルトを２個並設し、各カラーボルトにそれぞれ鋏体を取り付けて、上段、中段及び下段の各部鋏体からなる請求項１記載の理美容鋏。
【発明の詳細な説明】
【０００１】
【発明の属する技術分野】
本発明は２丁または３丁の鋏体を重ね合わせ、それらを１個の共通軸により結合した理美容鋏に関するものである。
【０００２】
【従来の技術】
最近、いろいろなヘアスタイルが希望されるようになって、理美容師にも高度の技法を要求されるようになり、それに伴って種々の高機能を有する理美容鋏が求められるようになった。
従来から例えばチョップカット法と称して、頭髪に自然な仕上がりを持たせるために、頭髪の先端部に浅い斜めの切込みを連続的に入れていく技法があるが、このようなカット法を行う場合には作業効率をよくするために、既存の２丁の鋏を重ねて同時に使用したり、複数の鋏を１個の軸で連結したものや、更には同軸で連結した鋏の動刃側と静刃側を夫々締付具で一体に固定したものなどが用いられている。
【０００３】
【発明が解決しようとする課題】
しかしながら上記のように２丁の鋏を単に重ねて使用することは技術的に相当の熟練を必要とした。また、複数の鋏を単に同軸で連結したものは、使用中ぶれを生じ易く、円滑に且つ鋭利な状態で機能しがたい欠点があった。更に同軸で連結した鋏の各動刃側と静刃側を締付具で夫々一緒に固定したものは、色々な高度の技法を必要とする場合にはかえって不便でもあった。また、同軸で結合した鋏体は、その静刃軸孔の長手方向中心線の位置が製作上鋏体毎に多少ずれやすいものであるが、それを一致させるためには技術的に熟練を必要とした。
【０００４】
そこで本発明では各鋏体が相互に自由に且つ円滑に動くことができると共に、各鋏体の上刃板、下刃板の接触具合も良好であって鋭利な状態で安定して作業でき、製作も容易な理美容鋏を提供できるようにして、各種のヘアスタイルの要望に応じ、高度の技法を自由に発揮できるようにした。
【０００５】
【課題を解決するための手段】
上記目的を奏するために本発明では次のように構成した。
刃部と指掛輪を具えた一対の下刃板と上刃板からなる複数の鋏体を共通軸を以って一体に結合した理美容鋏において、上記共通軸はその下端部を刃板の軸孔より一段と広径に形成し、その端部側の軸外周を下刃板の円孔に適合する円形部に形成し、該円形部の上側には上刃板の角孔に適合する角形部を設けて下段部を形成した。
上記下段部と上側部に形成したねじ部間の中央部は、上記円形部より小径にしてカラーボルトが適合するように形成した。
上記カラーボルトは、上記下段部の外形と同一になるようにその下端部を刃板の軸孔より一段と広径に形成し、その端部側の軸外周を下刃板の円孔に適合する円形部に形成し、上刃板の角孔に適合する角形部を該円形部に隣接して形成した。
而して、上記下段部に下段鋏体を取りつけ、パッキンを介してカラーボルトを嵌装し、該カラーボルトに上段鋏体を取りつけ、板バネを介してロックナットを装着してある。
【０００６】
また共通軸の円形中央部を延成してカラーボルトを２個並設し、各カラーボルトにそれぞれ鋏体を取り付けて、上段、中段及び下段の各部鋏体から構成する場合もある。
【０００７】
【発明の実施の形態】
【実施例１】
次に本発明の実施例を図面について説明する。図１〜図５は上段と下段の２丁の鋏体を１個の共通軸１で一体に結合した場合を示す。上段鋏体２と下段鋏体３は夫々一対の上刃板４（静刃）と下刃板５（動刃）を重ね合わせており、各刃板は夫々刃部６と指掛輪７を具えている。
【０００８】
上記共通軸１はその下端部８を刃板の軸孔より一段と広径に形成してある。下端部８側の軸外周は下刃板の円孔９に適合する円形部10に形成してあり、該円形部10の上側には上刃板に設けた１２角形状の角孔12内に係合するように６角形の角形部11を設けて下段部13を形成してある。
また下段部13と上側部に形成したねじ部14間の中央部15は上記円形部10より小径にしてカラーボルト16が適合するようにしてある。
上記カラーボルト16は、上記下段部13の外形と同一になるようにその下端部を刃板の軸孔より一段と広径に形成し、その端部側の軸外周を下刃板の円孔９に適合する円形部17に形成し、上刃板の角孔12に適合する角形部18を該円形部に隣接して形成してある。
而して、上記下段部13の円形部10に下刃板の円孔９を嵌合し、角形部11に上刃板の角孔12を嵌合して下段鋏体３を取り付け、パッキン19を介してカラーボルト16を嵌装し、該カラーボルトの円形部17に別の下刃板の円孔９を嵌合し、角形部18に別の上刃板の角孔12を嵌合して上段鋏体２を取り付けてある。更に板バネ20を介してねじ部14にロックナット21を装着してある。
【０００９】
【実施例２】
図６及び図７は３丁の鋏体を１個の共通軸で一体に結合した場合を示し、共通軸23の円形の中央部22を延成して、この部分に同じカラーボルト16を２個並設してある。而して、各カラーボルト16，16に一対の下刃板と上刃板からなる上段鋏体24と中段鋏体25を夫々取付け、板バネ20を介しねじ部26にロックナット21を装着してある。27は下段鋏体を示す。その他の構成は実施１の場合と同じである。
【００１０】
【発明の効果】
本発明では上記のように構成してあるから、鋏の操作時カラーボルトが自由に回転し得るので、各段の鋏体は相互に自由で且つ円滑に動くことが出来ると共に、カラーボルトの角形部に取付けられた上刃板はその角孔で係合しているから、下段鋏体の上刃板と同様に静止できるので、下刃板とのかみ合わせ具合も良く、鋭利で安定したカット作業が出来る。また、上刃板軸孔の長手方向中心線の位置が、鋏体ごとに多少の誤差を生じていても使用上何等差し支えない。従って、本発明に係る理美容鋏を使用する事により色々なヘアスタイルの要望に際しても、高度のカット技法を自由に発揮し易いと共に作業能率を向上できる。
なお通常の鋏の短い軸を別に具えておくと、必要に応じて各段の鋏体を分離して通常の単一鋏としても使用できる利点がある。
更に本発明における各鋏体は、既存の鋏の鋏体をそのまま利用できるのでコストを削減できる。
【図面の簡単な説明】
【図１】  鋏を開いた状態の平面図である。
【図２】  鋏を閉じた状態の側面図である。
【図３】  鋏の軸着部の拡大断面図である。
【図４】  ねじ部分の分解図である。
【図５】  分離した上下刃板の一部拡大図である。
【図６】  別実施例の側面図である。
【図７】  軸着部の拡大断面図である。
【符号の説明】
１  共通軸
２  上段鋏体
３  下段鋏体
４  上刃板
５  下刃板
６  刃部
７  指掛輪
８  下端部
９  円孔
10  円形部
11  角形部
12  角孔
13  下段部
14  ねじ部
15  中央部
16  カラーボルト
17  カラーボルト円形部
18  カラーボルト角形部
19  パッキン
20  板バネ
21  ロックナット
22  中央部
23  共通軸
24  上段鋏体
25  中段鋏体
26  ねじ部
27  下段鋏体
【図１】
0003689308.tif 000002
【図２】
0003689308.tif 000003
【図３】
0003689308.tif 000004
【図４】
0003689308.tif 000005
【図５】
0003689308.tif 000006
【図６】
0003689308.tif 000007
【図７】
0003689308.tif 000008